(57)【要約】【課題】フック体の係止爪が裏当て板の薄肉部を突き破ることによって生じるバリの弊害を防ぐことができる掛止金具用取付装置を提供する。【解決手段】係止爪（１４）を有するフック体（１０）を、係止爪（１４）によって突き破られる薄肉部（２４）を有する裏当て板（２０）を用いて生地（１）に取り付けるための掛止金具用取付装置であり、前記薄肉部（２４）を突き破った係止爪（１４）を加締めるための加締め部材（３０）を備える。前記加締め部材（３０）は、係止爪（１４）を加締めるための加締め面（３４）を有し、係止爪（１４）が薄肉部（２４）を突き破ることによって、前記薄肉部（２４）の一部が、前記フック体（１０）と反対側に突出して生じ得るバリ（２４ａ）に対し、バリ（２４ａ）を潰すために、前記加締め面（３４）に対して立ち上がる潰し部（３５）を含む。前記加締め部材（３０）は、初期位置と加締め完了位置の間を軸部（３１）を中心に回動可能である。【選択図】図５
2015187314.tif 000002
【特許請求の範囲】
【請求項１】
係止爪（１４）を有するフック体（１０）を、係止爪（１４）によって突き破られる薄肉部（２４）を有する裏当て板（２０）を用いて生地（１）に取り付けるための掛止金具用取付装置であって、
前記薄肉部（２４）を突き破った係止爪（１４）を加締めるための加締め部材（３０）を備え、
前記加締め部材（３０）は、係止爪（１４）を加締めるための加締め面（３４）を有し、
係止爪（１４）が薄肉部（２４）を突き破ることによって、前記薄肉部（２４）の一部が、前記フック体（１０）と反対側に突出して生じ得るバリ（２４ａ）に対し、バリ（２４ａ）を潰すために、前記加締め面（３４）に対して立ち上がる潰し部（３５）を含むことを特徴とする掛止金具用取付装置。
【請求項２】
前記加締め部材（３０）は、初期位置と加締め完了位置の間を軸部（３１）を中心に回動可能である請求項１に記載の掛止金具用取付装置。
【請求項３】
前記潰し部（３５）は前記加締め面（３４）の両側において立ち上がってなる請求項１または２に記載の掛止金具用取付装置。
【請求項４】
前記加締め面（３４）は、前記軸部（３１）の軸線を含む一つの平面に平行であり、前記潰し部（３５）は前記加締め面（３４）に対し前記軸線に沿う方向の両側において立ち上がる請求項２に記載の掛止金具用取付装置。
【請求項５】
前記フック体（１０）は二つの係止爪（１４）を有し、前記裏当て板（２０）は前記二つの係止爪（１４）にてそれぞれ突き破られる二つの薄肉部（２４）を有し、前記掛止金具用取付装置は前記加締め部材（３０）を二つ備える請求項１〜３のいずれか１項に記載の掛止金具用取付装置。
【発明の詳細な説明】
【技術分野】
【０００１】
本発明は、掛止金具用取付装置に関し、更に詳しくは、ズボンのウエスト部分等の生地に掛止金具を取り付けるための装置に関する。
【背景技術】
【０００２】
掛止金具（掛止金具はフックアンドアイと呼ぶこともある）は、ズボンのウエスト部分等に一般的に取り付けられている。フックアンドアイは、一般に二本の係止爪を有するフック体と、二つの爪孔を有する裏当て板とから構成され、フック体及び裏当て板は共に金属製である。フック体を生地に取り付ける場合、一般に、フック体を上方ダイに、裏当て板を下方ダイにそれぞれ保持させ、裏当て板上に生地を配置した後、上方ダイを下方ダイに向かって降下させる。これにより、フック体の係止爪が生地を貫通し、次いで裏当て板の爪孔を通った後、下方ダイによって加締められる。これにより、フック体が生地の表側に固定される。裏当て板は、通常、フック体が固定された生地と、別の裏生地との間に挟まれる。
【０００３】
従来の掛止金具用取付装置の一例が実公平３−２４５７２号公報に開示されている。この掛止金具用取付装置は、フック体Ｐ１を保持した上方ダイ７が降下すると、フック体Ｐ１の二本の係止爪が生地Ｃを貫通し次いで裏当て板Ｐ２の爪孔を通った後、下方ダイの二つのカーリング部材６によって二本の係止爪が互いに近付く方向に曲げられ、これにより、フック体Ｐ１が生地Ｃに固定される。カーリング部材６は、軸５を中心に回動可能であり、上方ダイ７の降下に伴って押し下げられる際、上下方向に移動しない加締めダイ１の上部に突き当たることにより、カーリング部材６の自由端部が上方に変位するように回動する。この回動時に係止爪は加締められる。
【０００４】
裏当て板の爪孔は、従前、矩形の開口であった。この場合、フック体の係止爪が生地を貫通し次いで爪孔を通る際、生地が爪孔に巻き込まれ易く、例えば生地に皺が生じるといった問題があった。これを回避するため、爪孔を開口ではなく金属製の薄肉部とした裏当て板が知られている。この薄肉部は、フック板の生地への取り付け時に係止爪によって突き破られるように設計される。しかしながら、金属製の薄肉部を係止爪が突き破ることによって、薄肉部が突き破られる方向に沿って突出するような、いわゆるバリが発生し、このバリが上記裏生地を損傷したり、あるいは裏生地から突き出て、ユーザの皮膚を傷付けるといった弊害が生じ得る。
【先行技術文献】
【特許文献】
【０００５】
【特許文献１】実公平３−２４５７２号公報
【発明の概要】
【発明が解決しようとする課題】
【０００６】
本発明は、上記問題点に鑑みてなされたもので、フック体の係止爪が裏当て板の薄肉部を突き破ることによって生じるバリの弊害を防ぐことができる掛止金具用取付装置を提供することを目的とする。
【課題を解決するための手段】
【０００７】
上記課題を解決するため、本発明によれば、係止爪を有するフック体を、係止爪によって突き破られる薄肉部を有する裏当て板を用いて生地に取り付けるための掛止金具用取付装置であって、前記薄肉部を突き破った係止爪を加締めるための加締め部材を備え、前記加締め部材は、係止爪を加締めるための加締め面を有し、係止爪が薄肉部を突き破ることによって、前記薄肉部の一部が、前記フック体と反対側に突出して生じ得るバリに対し、バリを潰すために、前記加締め面に対して立ち上がる潰し部を含むことを特徴とする掛止金具用取付装置が提供される。
【０００８】
本発明に係る掛止金具用取付装置では、フック体の係止爪を生地に貫通させ、次いで裏当て板の薄肉部を突き破らせた後、係止爪を加締め部材の加締め面により加締めることにより、フック体が裏当て板と共に生地に取り付けられる。フック体の係止爪が裏当て板の薄肉部を突き破ることによってフック体と反対側に突出して生じるバリは、加締め部材の潰し部によって潰される。
【０００９】
本発明において、掛止金具用取付装置は、フック体の生地への取り付け時に裏当て板を保持する側のダイ自体又はその一部として構成することができる。フック体及び裏当て板は、アルミニウム合金、銅合金、ニッケル合金等の金属製である。
【００１０】
本発明の一実施形態において、前記加締め部材は、初期位置と加締め完了位置の間を軸部を中心に回動可能である。この場合、加締め部材は初期位置から加締め完了位置へと回動しつつフック体の係止爪を加締める。加締め部材の回動機構は、例えば実公平３−２４５７２号公報に開示されているような、移動中の加締め部材の自由端部が静止状態の部材等に突き当たることによって回動するような機構を挙げることができるが、これに限定されるものではない。
【００１１】
本発明の一実施形態において、前記潰し部は前記加締め面の両側において立ち上がってなる。ここで、「加締め面の両側」とは、加締め面の、係止爪が加締められるすなわち曲げられる方向に垂直な方向における両側をいう。この点について、後述する本発明の一実施形態において、図５を参照して、係止爪１４が加締められる方向は図５の紙面手前から奥であり、加締め面３４の、係止爪１４が加締められる方向に垂直な方向は図５の紙面左右である。そのため、潰し部（側壁）３５は、加締め面３４の図５紙面左右両側から立ち上がる。
【００１２】
本発明の一実施形態において、前記加締め面は前記軸部の軸線を含む一つの平面に平行であり、前記潰し部は前記加締め面に対し前記軸線に沿う方向の両側において立ち上がる。この場合、加締め面は、加締め部材の回動の中心である軸部の軸線を含む無数の平面のうちの一つの平面に対して平行となるように設定される。また、潰し部は、前記軸線を含む一つの平面に平行な加締め面に対し、前記軸線に沿う方向（軸方向）の両側において立ち上がる。
【００１３】
本発明の一実施形態において、前記フック体は二つの係止爪を有し、前記裏当て板は前記二つの係止爪にてそれぞれ突き破られる二つの薄肉部を有し、前記掛止金具用取付装置は前記加締め部材を二つ備える。
【発明の効果】
【００１４】
本発明では、加締め部材に潰し部を設けたことにより、フック体の係止爪が裏当て板の薄肉部を突き破ることによって生じるバリを潰し部により潰すことができるため、バリが裏生地を損傷したり、裏生地から突き出てユーザの皮膚を傷付けるといった弊害を防止することができる。
【図面の簡単な説明】
【００１５】
【図１】図１は、生地に取り付ける直前のフック体と裏当て板の配置状態を示す斜視図である。
【図２】図２は、生地に取り付ける直前のフック体と裏当て板の配置状態を示す一部断面側面図である。
【図３】図３は、フック体を生地に取り付ける工程の説明図であり、フック体の係止爪が生地に近接している時点を示す。
【図４】図４は、フック体を生地に取り付ける工程の説明図であり、フック体の係止爪が裏当て板の薄肉部を突き破った時点を示す。
【図５】図５は、フック体の係止爪の先端が回動ダイの回動体の加締め面に接した時点を一部断面側面図である。
【図６】図６は、回動体の加締め面によって係止爪を加締めつつ回動体の側壁の上面でバリを潰している状態を示す一部断面拡大図である。
【図７】図７は、フック体を生地に取り付ける工程の説明図であり、係止爪の加締めが完了した状態を示す。
【発明を実施するための形態】
【００１６】
以下、本発明の好適な実施形態を図面を参照しつつ説明するが、本発明はそのような実施形態に限定されるものではなく、特許請求の範囲及び均等の範囲内で変更等がなされ得る。図１及び２は、生地１に取り付ける直前のフック体１０と裏当て板２０の配置状態を示す斜視図及び一部断面側面図である。以下の説明において、上下は図２〜７の紙面に基づく。また、前後及び左右は参照している図面に基づき、図２については、図２の紙面右側を前方、左側を後方という。フック体１０と裏当て板２０は掛止金具の構成部品であり、いずれも金属製である。フック体１０は、前端が円弧状の表板部１１と、表板部１１と平行な裏板部１２と、表板部１１の後端と裏板部１２の後端とを断面Ｃ字状に湾曲しつつ連結する連結部１３と、裏板部１２の左右両側から下方（表板部１１とは反対側）に延びる二本の係止爪１４とを備える。裏板部１２は連結部１３から前端までの長さが表板部１１に比べ短く、裏板部１２の前端は左右方向に沿う直線状である。各係止爪１４は、水平断面が矩形の爪胴部１４ｂと、爪胴部１４ｂの下端から先細る尖った先端部（下端部）１４ａとを有する。爪胴部１４ｂは前後方向の厚さが左右方向の厚さに比べ大きい。
【００１７】
裏当て板２０は、前端が円弧状の前板部２１と、前板部２１の後端から上方に若干隆起し、次いで後方へと前板部２１と平行（すなわち水平）に延びた後、下方に落ち込む隆起部２２と、隆起部２２の後端から後方に若干延びる後端部２３とを備える。隆起部２２は、裏当て板２０の左右全長にわたる。また、隆起部２２は、前板部２１の後端から上方に隆起する部分である前側部２２ａと、後端部２３の前端から上方に隆起する部分である後側部２２ｂとを含む。図２から分かるように、前側部２２ａは後方へと上方に傾斜し、後側部２２ｂは前方へと上方に傾斜する。また、後端部２３も後方へと上方に傾斜するが、その角度は前側部２２ａに比べ若干小さい。隆起部２２は、フック体１０の生地１への取り付け時に係止爪１４を通す二つの薄肉部２４を有する。薄肉部２４は、係止爪１４の水平断面を包含する領域として設定され、左右方向よりも前後方向に厚い係止爪１４に対応して左右方向よりも前後方向に長方形を有する。薄肉部２４はフック体１０における他の部分に比べて板厚が薄くされる。薄肉部２４の厚さは、フック体１０の生地１への取り付け時に係止爪１４が突き破ることができる程度に設定される。薄肉部２４を設けずに、薄肉部２４に対応する部分を開口とする場合、フック体１０の生地１への取り付け時に係止爪１４によって生地が前記開口から裏当て板２０の下方へと巻き込まれる量が増える。このような生地１の巻き込みを減らすにために薄肉部２４が設けられている。各薄肉部２４は、隆起部２２の下面から上方に窪むように形成され、薄肉部２４の上面は隆起部２２の上面と共通である。
【００１８】
フック体１０を生地１に取り付けるに当たり、図示はしないが、フック体１０は上方ダイに、裏当て板２０は下方ダイにそれぞれ保持され、また、裏当て板２０上に生地１が配置される。次いで、本実施形態では上方ダイが下方ダイに向かって降下することにより、フック体１０の係止爪１４が生地を貫通し、次いで裏当て板２０の薄肉部２４を突き破った後、後述する回動ダイ（加締め部材）３０によって左右二本の係止爪１４が互いに近付く方向に加締められることにより、生地１にフック体１０が取り付けられる。両係止爪１４は、互いに近付く方向に曲がり易いように、図２紙面前後方向よりも左右方向に薄くされるともいえる。なお、下方ダイが上方ダイに対して上昇する場合等もあり得る。本発明に係る掛止金具用取付装置は下方ダイ自体又はその一部に相当する。
【００１９】
図３〜７は、フック体１０を生地１に取り付ける工程の説明図である。図３は、フック体１０の係止爪１４が生地１に近接している時点を示し、ここに示す裏当て板２０の薄肉部２４は、図１の左右一方の薄肉部２４のＡ線矢視断面である。以下、図３に示される薄肉部２４及びこの薄肉部２４に対応する係止爪１４を右側の薄肉部２４及び係止爪１４とする。本発明に係る掛止金具用取付装置すなわち下方ダイは、フック体１０の左右二本の係止爪１４をそれぞれ加締めるための左右二つの加締め部材としての回動ダイ３０を備える。回動ダイ３０は実公平３−２４５７２号公報に記載されたカーリング部材６に対応する。回動ダイ３０は、図３等において右側の回動ダイ３０のみが示される。回動ダイ３０は、軸部３１を中心に回動可能な回動体３２を備える。図５及び図６は図３のＢ線矢視断面である。これらの図から分かるように、回動体３２は、その上方側面（以下「上面」という）に係止爪１４を加締めるための加締め面３４と、加締め面３４の図５及び６の紙面左右（軸部３１の軸方向）両側において上方に立ち上がる、後述するバリ２４ａを潰すための潰し部としての側壁３５とを有する。ここで、「加締め面の両側」とは、加締め面の、係止爪が加締められるすなわち曲げられる方向に垂直な方向における両側をいう。ここで、前記加締め面３４は前記軸部３１の軸線を含む一つの平面に平行であり、前記潰し部３５は前記加締め面３４に対し前記軸線に沿う方向（軸方向）の両側において立ち上がる。この点について、図５を参照して、係止爪１４が加締められる方向は図５の紙面手前から奥であり、加締め面３４の、係止爪１４が加締められる方向に垂直な方向は図５の紙面左右である。そのため、潰し部（側壁）３５は、加締め面３４の図５紙面左右両側から立ち上げる。加締め面３４は、軸部３１の軸線を含む一つの平面に平行な平坦面であり、側壁３５は加締め面３４と平行な上面３５ａを有する。なお、加締め面３４は、加締め部材３０の回動の中心である軸部３１の軸線を含む無数の平面のうちの一つの平面に対して平行となるように設定される。
【００２０】
回動ダイ３０は、図３に示す傾斜する初期位置から図７に示すほぼ水平な加締め完了位置まで軸部３１を中心に時計回り方向に回動することができる。この回動ダイ３０の回動は、例えば、降下する上方ダイに保持されたフック体１０の係止爪１４が生地１に接した後、更に降下する上方ダイが生地１等を介して下方ダイの回動ダイ３０を下方に押し下げる際、下方ダイの静止部分が回動体３２の自由端部３２ｂに突き当たり、これにより、回動体３２の自由端部３２ｂが相対的に上方に持ち上げられて回動ダイ３０が回動するような構成とすることができる。
【００２１】
次に、フック体１０を生地１に取り付ける工程を説明する。図３の時点から更にフック体１０が降下すると、フック体１０の係止爪１４が生地１を貫通し、次いで、図４及び５に示すように裏当て板２０の薄肉部２４を下方へと突き破る。この際、突き破られた薄肉部２４には下方に捲られたバリ２４ａが発生する。バリ２４ａは、フック体１０と反対側に突出して裏当て板２０の矩形の薄肉部２４の図２紙面左右両側及び前後両側で発生し、図４には左右両側に生じたバリ２４ａが、図５には前後両側に生じたバリ２４ａが表される。なお、係止爪１４は、厚さが左右方向に薄く、前後方向に厚いため、左右両側のバリ２４ａ（図４）よりも前後両側のバリ２４ａ（図５）が大きくなる。左右両側のバリ２４ａ（図４）は小さく、裏当て板２０の隆起部２２の下面より下方にほとんど突き出ないため、後述する潰し部（側壁）３５によって潰す対象とはしない。
【００２２】
回動ダイ３０はほぼ図４の時点から回動を開始する。図５は、フック体１０の右側の係止爪１４の先端部１４ａが回動ダイ３０の回動体３２の加締め面３４に接した時点を示す。この時点において係止爪１４は上方ダイによって下方に押されると共に、図４の状態から時計回り方向に回動中の回動ダイ３０の回動体３２の加締め面３４によって上方に押される。これにより右側の係止爪１４は回動体３２の加締め面３４上を滑りながら図示しない左側の係止爪１４に向かって曲げられる。つまり、加締め面３４が係止爪１４に接触し、さらに回動体３２が回転することで、加締め面３４が上方へ移動し、これによって係止爪１４に圧力がかかり、その圧力が係止爪１４を折り曲げるように変形させる。係止爪１４が折り曲がる方向は、係止爪１４の爪胴部１４ｂが前後方向の厚さが左右方向の厚さに比べ大きいことから、左右方向に変形しやすく、かつ回動体３２の回動前の初期位置の加締め面３４が、軸部３１から回動体３２の先端に向かうに従って下方に向く傾斜面であり、この傾斜面にそって係止爪１４が折り曲がって変形する。このようであるから、潰し部３５は、係止爪１４の加締め時に加締め面３４上を滑る方向に対する両側に設けられている。つまり、潰し部３５は軸部３１の軸線方向に沿って離間するようにして、回動体３２の上面に設けられ、この一対の潰し部３５の間に加締め面３４が設けられる。同様に左側の係止爪１４も左側の回動ダイによって右側に加締められる。図７は、右側の係止爪１４の加締めが完了した状態を示す。
【００２３】
図６は、回動体３２の加締め面３４によって係止爪１４を加締め中の状態を示す一部断面拡大図である。この図から分かるように、回動ダイ３０は、加締め面３４で係止爪１４を加締めながら、図６紙面左右（図２紙面前後）二つの側壁３５の上面３５ａにより、薄肉部２４の図６紙面左右（図２紙面前後）のバリ２４ａを裏当て板２０の隆起部２２の下面に押し付けるようにして潰すことができる。これによってバリ２４ａが生地１との間で裏当て板２０を挟む図示しない裏生地を損傷したり、あるいは裏生地から突き出て、ユーザの皮膚を傷付けるような事態を回避することができる。また、回動体３２の加締め面３４及び二つの側壁３５は係止爪１４を加締める際のガイドとしての役割を果たし、左右の係止爪１４が確実に相互方向に曲げられることを助ける。なお、加締め部材３０は軸部３１を中心に回動する以外に、加締め部材３０を裏当て板２０の下方から裏当て板２０に向けて垂直方向に移動することで、加締め部材３０の加締め面３４を係止爪１４に接触させて、係止爪１４を折り曲げるように変形させるようにもできる。このとき、加締め面３４は係止爪１４の先端１４ａが最初に接触する位置から、折り曲がる方向にその先端１４ａをガイドするように曲面形状になっていることが好ましい。
【符号の説明】
【００２４】
１  生地
１０  フック体
１４  係止爪
２０  裏当て板
２４  薄肉部
２４ａ  バリ
３０  回動ダイ（加締め部材）
３１  軸部
３２  回動体
３４  加締め面
３５  潰し部（側壁）
３５ａ  （潰し部の）上面
【図１】
2015187314.tif 000003
【図２】
2015187314.tif 000004
【図３】
2015187314.tif 000005
【図４】
2015187314.tif 000006
【図５】
2015187314.tif 000007
【図６】
2015187314.tif 000008
【図７】
2015187314.tif 000009